(57)【要約】【課題】  緯編により簡単に製造でき、しかも内腿部の通気性がよいインナー・ウェアを提供する。【解決手段】  緯編で編まれたパンツ部を有するインナー・ウェアであって、無張力状態で内腿部５にひだができており、内腿部に隣接する前側大腿中央部６または縫合せ周縁部３の編地が編地全体に均一的に平編目と浮き編のウエルトループが配置されたものであって、編地が平坦であり、該編地に比較して前記内腿部の編地は平編目の方がウエルトループよりも多く配置されている。腹部上部９、前側マッサージ部７および後側大腿部にインナー・ウェアの内側に突出する多数の隆起部が形成されている。【選択図】        図１
2005120513.tif 000002
【特許請求の範囲】
【請求項１】
緯編で編まれたパンツ部を有するインナー・ウェアであって、無張力状態で内腿部にひだができていることを特徴とするインナー・ウェア。
【請求項２】
前記内腿部に隣接する前側大腿中央部または縫合せ周縁部の編地が編地全体に均一的に平編目と浮き編のウエルトループが配置されたものであって、編地が平坦であり、該編地に比較して前記内腿部の編地は平編目の方がウエルトループよりも多く配置されていることを特徴とする請求項１記載のインナー・ウェア。
【請求項３】
腹部上部、前側マッサージ部および後側大腿部にインナー・ウェアの内側に突出する多数の隆起部が形成されていることを特徴とする請求項１または２記載のインナー・ウェア。
【請求項４】
前記内腿部の編地においては少なくとも３ウェール分以上連続してコース方向に飛んでいる浮き編のウエルトループが多数配置されていることを特徴とする請求項１乃至３のいずれか１項に記載のインナー・ウェア。
【請求項５】
ヒップ中央上部の編地が前記内腿部の編地と同じ編組織により編成されていることを特徴とする請求項１乃至４のいずれか１項に記載のインナー・ウェア。
【発明の詳細な説明】
【技術分野】
【０００１】
本発明はインナー・ウェアに関するものである。特に、本発明のインナー・ウェアは身体にフィットさせた状態で着用するものであり、パンツ部を有するインナー（ガードル、スパッツ、タイツ、パンティーストッキング等）に関するものである。
【背景技術】
【０００２】
ガードルなど身体にフィットした状態で着用するパンツを有するインナー・ウェアは体型補整などのために広く使用されている。しかし、このようなインナー・ウェアは暑い時期や運動などして汗をかいた時に蒸れたり熱がこもったりするという問題があった。
【０００３】
このような問題を解決するために、従来いくつかの提案がなされている。例えば、特許文献１においては、クロッチ部（股部）およびヒップの中心上部の箇所にメッシュ地等の通気性のよい素材を縫製により取付けることが提案されている。また、特許文献２には、同じく股部の箇所および左右のヒップ部の間からその上端部にかけた部分をメッシュ地に切替えて縫製したボトム下着が開示されている。また、特許文献３にも同様に股部をメッシュ地とした男性用ガードルが提案されている。
【特許文献１】特開２００２−３７１４０２号公報
【特許文献２】実用新案登録第３０５２１１１号公報
【特許文献３】特開平１０−１３０９１０号公報
【発明の開示】
【発明が解決しようとする課題】
【０００４】
前述した特許文献１に開示されている衣類は、経編により各部分部分によって編方を変えた経編生地を作り、そしてその編組織を変えた部分に対応した形状で衣服を構成する複数のパーツに分けて裁断している。これらを縫い合わせることによってクロッチ部やヒップ上部がメッシュ編となっている衣類を製作しているものである。従って、このように経編をいろいろな編方で編んだ生地を、その生地の各部分に合わせて裁断することは裁断技法上非常に難しいことであり、更に、これらの多数のパーツを縫い合わせるために、この衣類自体が製作工程が多くなり、生産性が悪いという問題がある。また、この衣類自体が高価なものとなってしまうという問題がある。
【０００５】
同様に、特許文献２および特許文献３における下着やガードルにおいても、股部のメッシュ生地とその他の部分とは別々の生地であり、各部分に応じて複数のパーツに裁断した上で縫い合わされるものである。従って、同様に裁断工程、縫製工程なども多数入り、また異なった生地を縫い合わせるため、技術的にも困難性が伴っているものである。このため生産性が悪く、コスト高になってしまうという問題がある。
【０００６】
更に、前述した特許文献１〜３に開示されているものにおいては、股部（クロッチ部）から上の部分に通気性を持たせることを主題としているが、実際に脚部がある衣類を着用した場合は、内腿部の箇所が蒸れ易いということが分かっており、前述した特許文献のものでは、この点が全く考慮されていない。
【０００７】
本発明は、前述したような問題を解決し、緯編により簡単に製造でき、しかも内腿部の通気性がよいインナー・ウェアを提供することを目的とする。
【課題を解決するための手段】
【０００８】
本発明によれば、緯編で編まれたパンツ部を有するインナー・ウェアであって、無張力状態で内腿部にひだができていることを特徴とするインナー・ウェアにより前記目的を達成する。
【０００９】
本発明においては、前記内腿部に隣接する前側大腿中央部または縫合せ周縁部の編地が編地全体に均一的に平編目と浮き編のウエルトループが配置されたものであって、編地が平坦であり、該編地に比較して前記内腿部の編地は平編目の方がウエルトループよりも多く配置されていることが好ましい。
【００１０】
本発明のインナー・ウェアにおいては、腹部上部、前側マッサージ部および後側大腿部にインナー・ウェアの内側に突出する多数の隆起部が形成されていることが好ましい。このように、インナー・ウェアの内側に突出する多数の隆起部を設けると、インナー・ウェアを着用した際に隆起部によるマッサージ効果が奏される。
【００１１】
また、本発明においては、前記内腿部の編地においては少なくとも３ウェール分以上連続してコース方向に飛んでいる浮き編のウエルトループを多数配置することが好ましい。長いウエルトループを多数配置することにより、本発明のインナー・ウェアを着用した際に編目が大きくなり通気性がよくなる。
【００１２】
更に、本発明のインナー・ウェアにおいて、ヒップ中央上部の編地が前記内腿部の編地と同じ編組織により編成されていることが好ましい。
【発明の効果】
【００１３】
本発明のインナー・ウェアは内腿部が無張力状態ではひだができているものである。従って、本発明のインナー・ウェアを着用した場合には、脚部も伸ばされた状態となるが、内腿部は大腿中央部のように足にきつく密着せず、密着度が緩いものであるので、締付け感がない。また、内腿部の編目が隙間の多い編目となっているので通気性がよいものである。
【００１４】
本発明によれば、内腿部の広い範囲が通気性のよい編地となっているので、股部自体も蒸れたりすることが防止される。また、ヒップ部中央上部の編地を、内腿部と同様の編地で編成した場合は、着用したとき左右のヒップの間の隙間を通って空気の流通が生じ、より一層蒸れ難いものとなる。
【００１５】
更に、本発明のインナー・ウェアは緯編により編成できるものであり、特に、丸編機によれば脚部の部分だけをカット・アンド・ソウ（切って、その箇所を縫製すること）により編成でき、従来のもののように工程数も特に増えることがなく、簡単に製造でき、従って安価なものとすることができる。
【発明を実施するための最良の形態】
【００１６】
以下、本発明の実施の形態を図面に基いて説明する。本発明のインナー・ウェアは緯編で編成するものであり、特に、シングル針床の丸編機にて効率よく編成されるものである。
【００１７】
本発明のパンツ部および脚部を有するインナー・ウェアは、丸編機にて編成した場合は、従来、公知な方法にて製作される。すなわち、丸編機により筒状に編成した後、縫合せ周縁部として編成された箇所を前後一箇所ずつに切れ目を入れ、この切れ目の前と後とを縫合せて脚部とするものである。この際、股部に相当する箇所にマチを入れてクロッチ部４を設けてもよい。
【００１８】
本発明のインナー・ウェアの編成に使用する糸は伸縮性が比較的大きな糸がよい。糸使いとしては特に限定されないが、弾性糸（例えば、ポリウレタン糸を芯糸として、これにナイロン糸をカバリングしたもの）、ウーリーナイロン糸、弾性糸とウーリーナイロン糸とを組合わせたもの、その他の伸縮性を有する糸などを使用して編成するものである。従って、本発明のインナー・ウェアは、着用すると身体にフィットした状態となるものである。
【００１９】
図１は本発明のインナー・ウェアの一実施例を示す正面図であり、図２は図１に示したインナー・ウェアの後側を示す背面図である。この図示した実施例においては、ウエスト部１および裾部２を除いて同じ編組織の部分は同じような線（斜線や縦線）や白地で示している。
【００２０】
図１および図２に示す実施例においては、ウエスト部１および裾部２は袋編で編成されている。前側縫合せ周縁部３および後側縫合せ周縁部１３の回りには、本発明で特徴とする内股部５、１５が設けられている。この前側内股部５および後側内股部１５は無張力状態で、すなわち、インナー・ウェアを着用していない状態では内股部にひだが生じている。
【００２１】
前側縫合せ周縁部３および後側縫合せ周縁部１３における編地は、編地全体に平編目と浮き編のウエルトループが均一的に配置された編方で編成されており、このため、この領域３、１３を全て平編で編んだ場合に比べて編目の数が半分となっており、ウェール方向に短くなって、密に編まれている。
【００２２】
これに対して、前側内腿部５および後側内腿部１５においては、平編目の方が浮き編のウエルトループよりも多くなるように編成され、すなわち、編成された編目の数は隣接する前後の縫合せ周縁部３、１３よりも多くなり、特に、ウェール方向において平編目の数が全体的に多い状態となっているため、編地としては縫合せ周縁部３の編地よりも長い状態になる。このため、内腿部５、１５にはひだが形成される。
【００２３】
また、内腿部５、１５においては、コース方向にウエルトループが長く延びた箇所が多数形成されている。このため、着用した際に脚部が引伸ばされた状態となると、長いウエルトループが形成された箇所が引張られることにより、大きな編目となるので通気性がよくなる。
【００２４】
前側大腿中央部６の箇所は、この実施例では縫合せ周縁部３、１３と同じ編組織を使用して編成される。従って、前側内腿部５は両側が同じようにウェール方向が短めに縮んだ状態の編地に挟まれているために、全体的に大きなひだが寄っている状態となっている。また、内腿部５、１５は着用した状態では引伸ばされても前側大腿中央部６のように肌に強く密着せず、ひだとなっていた余裕分があるので肌に強く密着せず、通気性がよい。
【００２５】
前側大腿中央部６の回りには前側マッサージ部７が設けられている。この前側マッサージ部７は前側の大腿側部から足の付根部付近までに亘るものである。この前側マッサージ部７においては、インナー・ウェアの内側に突出する多数の隆起部が設けられている。隆起部は連続状態（すなわち、畝状隆起部）であってもよいし、或いは非連続的隆起部であってもよい。
【００２６】
腹部中央部８は、着用したときに臍の付近から股部にかけた領域を覆う三角形状の部分であり、図１に示した実施例では、インナー・ウェアの内側に突出する畝がＶ字状に多数本設けられた編地となっている。
【００２７】
腹部上部９においては、前側マッサージ部７と同様に、インナー・ウェアの内側に突出する連続状または非連続状の隆起部が形成されており、同じくマッサージ効果を発揮する部分である。
【００２８】
図１においては前側マッサージ部７と腹部上部９との間にヒップ周縁部１１の端部が見えている。
【００２９】
図２に示すように、インナー・ウェアの背面においては後側縫合せ周縁部１３の周囲に後側内腿部１５が設けられており、この後側内腿部１５も前側内腿部５と同様に無張力状態ではひだが生じている。後側大腿部１７は前側マッサージ部７から連続して後側内腿部１５まで広がっているものであり、前側マッサージ部７と同様にインナー・ウェアの内側に突出する連続状または非連続状の隆起部が多数設けられている。ヒップ部１０は前側大腿中央部６と同様の編組織で編成された編地であり、着用したときにヒップの丸みに当たる部分となるものである。
【００３０】
ヒップ周縁部１１はヒップ部１０を取巻き、また左右のヒップ部１０の間にまで延びている編地である。このヒップ周縁部１１は着用したときにヒップを支えるように、ヒップ部１０の編地に比べて伸縮性が少ない編地となっている。また、ヒップ中央上部１２、すなわち、着用したときに尾てい骨付近に位置する部分は内腿部５、１５と同様の編組織で編まれた編地となっている。腰部１８は前側の腹部上部９と連続する部分であり、前側マッサージ部７と同様にインナー・ウェアの内側に突出する連続状または非連続状の多数の隆起部が設けられている。
【００３１】
図３には、前後の縫合せ周縁部３、１３、前側大腿中央部６およびヒップ部１０の編地に適用される編組織の一例を示す編目で表わした編組織図である。
図３に示した編組織図に見られるように、編地全体に均一的に平編目１１０と浮き編のウエルトループ１２２が配置されたものである。図３においてａで示すコースにおいては平編目１１０、浮き編のウエルトループ１２２、平編目１１０、ウエルトループ１２２と繰返して編成される。次のコースｂにおいては、ウエルトループ１２２、浮き編の保持ループ１２１による平編目１１０、ウエルトループ１２２、保持ループ１２１による平編目１１０の繰返しとなっている。矢印ｃで示すコースにおいては、ウエルトループ１２２、平編目１１０、ウエルトループ１２２、平編目１１０の繰返しとなっている。その次のコースｄにおいては、浮き編の保持ループ１２１による平編目１１０、ウエルトループ１２２、浮き編の保持ループによる平編目１１０、ウエルトループ１２２の繰返しになっている。ウェール方向Ｗにおいてはａ〜ｄの編み方が繰返して編成されるものである。
【００３２】
このように、かのこ模様のように平編目１１０とウエルトループ１２２が配置されており、ウエルトループ１２２は長く裏側に浮いたりしないので、編地の表面および裏面に凹凸がなく、平坦な状態となっている。
【００３３】
また、図３に示した編組織においては、ウェール方向Ｗにおいては、浮き編のウエルトループ１２２は２つ連続している（すなわち、２つ飛びの浮き編１２０となっている）が、この浮き編の飛び数は１〜３程度とすることが好ましい。また，図３に示した実施例では、平編目１１０と浮き編のウエルトループ１２２が同数となって編地全体に均一的に配置されている。従って、仮にこの編地全体を平編目で編んだ場合と比較すると、平編目１１０の数は半分となっており、従って、全て平編目で編んだ場合に比較してウェール方向Ｗにおける編地の長さは、この編地全体を平編で編んだ場合よりも短くなった状態となっている。
【００３４】
なお、縫合せ周縁部３、１３、前側大腿中央部６およびヒップ部１０の編組織は図３に示したものに限定されないが、図３と同様に平編目と浮き編のウエルトループがほぼ同程度の数になるようにし、それらが均一的に配列されているような編地とすることが好ましい。
【００３５】
図４は前側内腿部５および後側内腿部１５を編成するための編組織図の一実施例を示すものである。
図４に示した編地においては、ａで示すコースにおいては浮き編におけるウエルトループ１２２が３ウェール分続き、平編目１１０、ウエルトループ１２２、平編目１１０の繰返しになっている。次に編まれるコースｂにおいては、浮き編の保持ループ１２１による平編目１１０が３つ続き、普通の平編目１１０、浮き編の保持ループ１２１による平編目１１０、普通の平編目１１０の繰返しとなっている。すなわち、コースｂにおいては平編目１１０がコース方向Ｃに連続して編成されている。その次に編まれるコースｃにおいては、コースａと同じく３ウェール分のウエルトループ１２２が連続しており、平編目１１０、ウエルトループ１２２、平編目１１０の繰返しとなっている。コースｄにおいては、前述したコースｂと同様に全ての編目が平編目１１０となっている。コースｅにおいては、平編目１１０、ウエルトループ１２２、平編目１１０、ウエルトループ１２２が３ウェール分連続し、これらの繰返しとなっている。コースｆにおいては、平編目１１０および浮き編の保持ループ１２１による平編目１１０、平編目１１０、浮き編の保持ループ１２１による平編目１１０が３つの繰返しになっており、コースｆにおいては全ての編目が平編目１１０となっている。コースｇにおいてはコースｅと同じ編目となっており、平編目１１０、ウエルトループ１２２、平編目１１０、３ウェール分の連続したウエルトループ１２２の繰返しとなっている。コースｈにおいては、コースｆと同様な編方となっており、全てのウェールにおいて平編目１１０が形成されている。図４に示した編地ではウェール方向Ｗにおいては、前述したコースａ〜ｈの繰返しとなっている。
【００３６】
このような編組織であるので、図４の編地は図３の編地に比べて平編目１１０の数が多い。特に、ウェール方向Ｗにおいて連続した平編目１１０（５つの平編目がウェール方向に連続している）が、編地全体にほぼ均等に配置されている。従って、この編地は、編地全体を平編で編んだ場合に比較するとウェール方向の長さはやや短くなるが、図３の編組織により編成された編地に比べるとウェール方向Ｗにおける長さが長くなる。このため前述したようにひだが生じることになる。
【００３７】
また、この図４に示した編地においては、ウエルトループ１２２が３ウェール分に亘って連続してコース方向Ｃに浮いた状態となっている箇所が編地全体に配置されている。このようなウエルトループがコース方向Ｃに連続して浮いている部分は、このインナー・ウェアを着用して図４に示す編地が伸長されると、隙間ができた状態となる。すなわち、編目が開いているような状態となる。従って、伸長した状態では通気性がよい状態となる。
【００３８】
なお、このような伸張したときに編目に隙間ができるような編地においては、コース方向Ｃにおいて連続するウエルトループの数は３ウェール分以上連続したものとすることが好ましく、好ましくは３〜１５ウェール、更に好ましくは３〜１０ウェール分程度とすることが好ましい。また、図４に示した実施例においては、各浮き編１２０はウエルトループが１つできる１飛びの浮き編であるが、ウェール方向Ｗにおけるウエルトループが好ましくは３〜８、更に好ましくは３〜５できる２〜３飛びの浮き編としてもよい。
【００３９】
図５に示した編組織は、前側マッサージ部７、腹部上部９、後側大腿部１７、腰部１８において適用される編組織の一例を示すものである。この編組織においては、インナー・ウェアの内側に突出する非連続状態の隆起部が形成されるものである。図５に示した実施例においては、浮き編が行われるウェールと、平編目のみが形成されるウェールの比率は１：２となっている。図５に示した編組織図において、浮き編が行われている箇所がインナー・ウェアの内側に向かって突出した隆起部となる箇所である。この実施例においては、一番長い浮き編はウエルトループが１６個形成された１６飛びの浮き編であり、そこを中心に左右に浮き編の開始点および終了点が２つずつずらされた浮き編が３ウェール毎に形成されている。すなわち１６飛びの浮き編を中心として、その左右に１２飛びの浮き編、８飛びの浮き編、４飛びの浮き編が順次形成されており、これら一群の浮き編により１つの隆起部が形成される。このような一群の浮き編が上下左右に広がって配置されており、多数の隆起部が形成されるものである。図５においては、下側の浮き編との間には６つの平編目が形成されており、左右の隆起部となる浮き編と浮き編の間には１１本のウェールにおいて連続して平編目となっている。
【００４０】
なお、隆起部を形成するためには、この編組織に限定されるものではない。また、非連続状の隆起部だけではなく、隆起部が連続している畝状のものとしてもマッサージ効果があればよい。
【００４１】
図６に示した編地は、図１の腹部中央部８を編成するための編組織図の一実施例を示すものである。この図６に示した編組織図においては、１２飛びの浮き編が開始点を左上りまたは右上りに２つずつずらしながら編成される。浮き編と浮き編との間に平編目のみのウェールが２本、３本の繰返しで配置されている。このように開始点が２つずつずれるという繰返しによりＶ字形の畝がインナー・ウェアの内部に突出した状態のものを編成することができる。このＶ字形畝の編組織も、図６に示したものに限定されず、適宜変化させることができる。
【００４２】
また、図１に示した実施例では、腹部中央部８に内側に突出する畝状の隆起部を設けているが、この部分８を前側大腿中央部６と同じような編み方としてもよいし、隆起部を設けない平坦な編地としてもよい。
【００４３】
図７に示した編地は、ヒップ周縁部１１の編み方の一例を示す編組織図である。図７に示す編地においては、ａで示すコースにおいては浮き編の保持ループによる平編目１１０が２つ、浮き編のウエルトループ１２２が２つの繰返しとなっており、次に編まれるコースｂにおいては、下段のコースａで平編目が編まれた箇所では浮き編のウエルトループ１２２となり、下段のコースａではウエルトループ１２２となっていた箇所は浮き編の保持ループ１２１により平編目１１０が２つ編まれる。これがウェール方向Ｗに繰返されている。この編み方により、全体が平編目で編まれている編地に比べると伸縮性が小さい編地となっており、表面上にリブ編み風の縦筋が見えるものとなっている。
【００４４】
また、このヒップ周縁部１１も、この編み方に限定されるものではなく他の編み方でもよいが、好ましくはヒップ部１０に比較すると伸縮性が小さいものの方が好ましい。
また、他の実施例としては、腹部上部９と腰部１８とを設けなくともよい。
【図面の簡単な説明】
【００４５】
【図１】本発明のインナー・ウェアの一実施例を示す正面図である。
【図２】図１に示したインナー・ウェアの後側を示す背面図である。
【図３】縫合せ周縁部、前側大腿中央部およびヒップ部の編地に適用される編組織の一例を示す編目で表わした編組織図である。
【図４】前側内腿部よび後側内腿部を編成するための編組織の一例を示す編目で表わした編組織図である。
【図５】前側マッサージ部、腹部上部、後側大腿部において適用される編組織の一例を示す編目で表わした編組織図である。
【図６】腹部中央部を編成するための編組織の一例を示す編目で表わした編組織図である。
【図７】ヒップ周縁部の編み方の一例を示す編目で表わした編組織図である。
【符号の説明】
【００４６】
３、１３  縫合せ周縁部
５、１５  内腿部
６  前側大腿中央部
７  前側マッサージ部
８  腹部中央部
９  腹部上部
１０  ヒップ部
１１  ヒップ周縁部
１２  ヒップ中央上部
１８  腰部
【図１】
2005120513.tif 000003
【図２】
2005120513.tif 000004
【図３】
2005120513.tif 000005
【図４】
2005120513.tif 000006
【図５】
2005120513.tif 000007
【図６】
2005120513.tif 000008
【図７】
2005120513.tif 000009